(57)【要約】【課題】  原稿台上に設置したフィルムガイドに透過原稿を配置して、透過原稿の上から面光源ユニットで照明して透過原稿を読取るときに、光源ユニットの操作を簡単にする。【解決手段】  フィルムガイドと光源ユニットを接続するヒンジ部に、光源ユニットを開いた状態で自立する係合部を設け、透過原稿を配置する際の操作部の扱いを容易にする。【選択図】  図５
2008032985.tif 000002
【特許請求の範囲】
【請求項１】
透過原稿を読取る画像読取装置は、
光源部とフィルムガイド部とが開閉可能に回動軸で接続された透過原稿用ユニットと、
前記フィルムガイド部を前記画像読取装置本体上に固定する手段とを有し、
前記透過原稿用ユニットは、前記フィルムガイド部に対して前記光源部を開いた際に前記光源部の重心が上記回動軸を越えた位置で前記フィルムガイド上に自立するための係合部を有することを特徴とする画像読取装置。
【請求項２】
前記係合部は、前記光源部と前記フィルムガイド部が互いに係合し、前記光源部が自立した状態で鉛直方向に動いた際に係合が外れるよう設けられていることを特徴とする請求項１に記載の画像読取装置。
【請求項３】
前記回動軸と前記回動軸の軸受は、前記光源部を閉じた状態で前記光源部が前記フィルムガイド部に対して前記透過原稿に垂直な方向に移動可能なように形成されていることを特徴とする請求項１に記載の画像読取装置。
【請求項４】
前記フィルムガイドを前記画像読取装置本体上に固定する手段は、前記フィルムガイドが開かれたときに画像読取装置に対して上下方向に移動可能なように形成されていること特徴とする請求項１に記載の画像読取装置。
【請求項５】
前記光源部は、前記フィルムガイドに対して閉じた状態で、前記画像読取装置上の前記フィルムガイドでガイドされた前記透過原稿の上に、直接載置することを特徴とする請求項１に記載の画像読取装置。
【請求項６】
前記透過原稿用ユニットは、前記光源部を開いた際に、前記画像読取装置の原稿カバーに対し使用者の手が入るだけの充分な間隔を持った位置に設置されていることを特徴とする請求項１に記載の画像読取装置。
【発明の詳細な説明】
【技術分野】
【０００１】
本発明は、原稿台ガラス上の透過原稿を読み取る、画像読取装置に関する。
【背景技術】
【０００２】
従来、写真フィルムなどの透過原稿を、原稿台ガラスを有するフラットベッド方式の画像読取装置で読取る場合には、原稿台上に設置したフィルムガイドに透過原稿を配置して、面光源で上から照明して透過原稿を読取っている（例えば、特許文献１参照）。
【特許文献１】特開平１１−３１７８４６号公報
【発明の開示】
【発明が解決しようとする課題】
【０００３】
しかしながら、その面光源ユニットがフィルムガイドに回動可能にヒンジで接続されている場合、使用者がフィルムをセットする際に面光源ユニットを手で支えていなければならず操作性が良くなかった。
【課題を解決するための手段】
【０００４】
上記課題を解決するための、透過原稿を読み取る本発明の画像読取装置は、光源部とフィルムガイド部とが開閉可能に回動軸で接続された透過原稿用ユニットと、前記フィルムガイド部を前記画像読取装置本体上に固定する手段とを有し、前記透過原稿用ユニットは、前記フィルムガイド部に対して前記光源部を開いた際に前記光源部の重心が上記回動軸を越えた位置で前記フィルムガイド上に自立するための係合部を有することを特徴とする。
【発明の効果】
【０００５】
本発明によれば、透過原稿用ユニット（ＦＡＵ）本体が自重で倒れることを防止し、かつ容易に乗り越えることができる係合部を様にヒンジ部に配置したので、簡単に手動で閉めることができる。使用者がフィルムをセットする際に光源ユニットの自重により倒れないようにすることができる。
【発明を実施するための最良の形態】
【０００６】
図１は本実施形態に係るカラー画像読取装置の斜視図である。図１に示すように、装置本体１の上面に取り付けられた透明原稿台としての原稿台ガラス２上に原稿をセットし、コンタクトイメージセンサ３を原稿台ガラス２に平行に走査することにより、原稿に記載された画像を読み取る。
【０００７】
なお、コンタクトイメージセンサ３には、その内部には原稿照射用の光源であるＲＧＢ三色のＬＥＤ、原稿からの反射光をイメージセンサの受光素子上に結像するロッドレンズアレイ、およびイメージセンサが組込まれている。三色の光源を順次切り替えて点灯し、イメージセンサが各色ごとの原稿からの反射光を読み取ることにより、色分解読み取りをする。
【０００８】
コンタクトイメージセンサ３は、摺動性の良い材質からなるスペーサを左右端部にそれぞれ配置された状態でセンサーホルダ１０３に軸支されている。センサーホルダ１０３は、装置本体１に固定されたガイドシャフト４上を摺動するスライダ５上に固定支持される。コンタクトイメージセンサ３の左側端部は、センサーホルダ１０３上に位置決めされたバネにより、スペーサを介して原稿台ガラス２に圧接される。センサー３、センサーホルダ１０３、バネ、スライダ５など、スライダと一体化されたユニットを、以下、キャリッジ５０１と呼ぶ。また、図１に示すように、スライダ５には、走査駆動源であるモータからの動力を伝達するベルト１５が固定される。モータの正逆回転により、キャリッジ５０１は原稿台ガラス２の範囲の往復走査が可能になっている。また、センサー３の電気的入出力のためのフレキケーブル１０５は、片側をセンサー３に接続され、画像読取装置本体のコントロールボードに、反対側を接続されている。
【０００９】
またスライダ５には、走査駆動源であるモータからの動力を伝達するベルト１５が固定される。モータの正逆回転により、コンタクトイメージセンサ３は原稿台ガラス２の範囲の往復走査が可能になっている。
【００１０】
画像読取装置には、上記のほかにコントロールボードや電源からなる電装部がある。これらは、原稿台ガラスを固定支持する装置本体１の中に配置されている。
【００１１】
また、原稿台ガラス２上には、原稿をガラス上に押圧するためのカバー部材としての原稿カバー６が、ヒンジ７を介して装置本体１に開閉可能に取り付けられている。また、原稿カバー内面の原稿台ガラス２と対向する面には、シート部材８ａと弾性部材８ｂからなる原稿圧着シート８が貼り付けられている。
【００１２】
次に、透過原稿用ユニット（以下、ＦＡＵ）４０について説明する。図２はＦＡＵ４０を装置本体１に設置・使用する方法について説明した図である。ＦＡＵ４０は光源部としての光源ユニット４１とフィルムガイド４５からなり、これらはヒンジ部４２で回動軸により回動可能に接続されている。
【００１３】
装置本体１の左右に設けられた板金に、フィルムガイド４５の左右に設けられた磁石４６が取り付けられることによってＦＡＵ４０は装置本体１に固定される。また、ＦＡＵ４０のケーブル４９は装置本体１に接続される。
【００１４】
磁石４６は、図３（ａ）に示す様に光源ユニット４１を開放した際に、その重さでＦＡＵ４０全体が倒れないだけの磁力を有する。また、磁石４６に対してカバー部材４５Ｃの内側は大きめに形成されており、磁石４６は上下に移動可能に構成されている。この構成により、たとえフィルムガイドに反りなどが生じたとしても、磁石４６の装置本体１への固定は維持されて反り分の変化量は吸収される。またフィルムガイド４５にはヒンジ部４２を構成するための部位（軸４５Ｓ、開放姿勢保持部４２Ｃ、ストッパ用段差４２ａ）が設けられているが、詳細な機能については後述する。
【００１５】
次に、透過原稿Ｆを装置本体１の原稿台ガラス２にセットするには、図３（ａ）に示すように光源ユニット４１をフィルムガイド４５から略９０°開いて、透過原稿Ｆをフィルムガイド４５の内側の原稿台ガラス２上に載置する。さらに図３（ｂ）に示すように光源ユニット４１をフィルムガイド４５側に閉じて、光源ユニット４１が透過原稿Ｆの上面に来るように配置する。
【００１６】
ここで図２（ｂ）に示すように、光源ユニット４１が略９０°開いた際には、光源ユニット４１と原稿カバー６の原稿圧着シート８までの間には間隔Ｇが設けられており、使用者の手が光源ユニット４１開閉時に原稿圧着シート８に触れないような構成になっている。
【００１７】
図３（ａ）はＦＡＵ４０の斜視図である。光源ユニット４１には、透過原稿Ｆに接するＦＡＵガラス４３Ｇが設けられている。ＦＡＵガラス４３Ｇの透過原稿Ｆに接する側の面には、ニュートンリング防止用の表面処理がなされている。さらに、透過原稿Ｆが原稿台ガラス２に密着するのを避けるために、ＦＡＵガラス４１の表面には透過原稿Ｆの画像領域外（３５ｍｍフィルムの場合、パーフォレーション部）に対応する位置に、ＦＡＵガラス４３Ｇの全長にわたって薄いシート部材４３Ｓが２箇所貼られている。また、光源ユニット４１の中心にはロック部材４８が設けられており、光源ユニット４１が閉じられた際にフィルムガイド４５を固定する。これにより、ＦＡＵ４０の持ち運びの際にも、光源ユニット４１とフィルムガイド４５が不用意に開くことを回避できる。
【００１８】
光源ユニット４１の内部には、面光源ユニット４４と駆動回路を有する。面光源ユニット４４は、面状光源４４Ｂの上面に駆動用モータ４４Ｍ、ＦＡＵウォームギア４４Ｗ、ＦＡＵギア４４Ｇを有する。面状光源４４ＢはＲＧＢそして赤外ＬＥＤを搭載し、透過原稿Ｆの１コマに相当するエリアを均一に照明するユニットであり、透過原稿Ｆ方向に面状に光を照射する。
【００１９】
面光源ユニット４４はＦＡＵガラス４３Ｇの面上、かつＦＡＵボトムカバー４３に設けられたラック４３ＬとＦＡＵギア４４Ｇが噛み合う位置に設置されている。ここで、面状光源ユニット４４は駆動用モータ４４Ｍを動作させることにより、写真フィルムの透過原稿Ｆの６コマの画像の範囲で移動可能である。
【００２０】
次に、ＦＡＵ４０のヒンジ部４２の構成について説明する。図４（ａ）は光源ユニット４１単体の斜視図、図４（ｂ）は光源ユニット４１の軸受け部４１Ｈの詳細斜視図である。光源ユニット４１にはヒンジ部４２を構成するための部位（軸受け部４１Ｈとストッパ用段差４２ｂ）が設けられている。軸受け部４１Ｈにはフィルムガイド４５の軸４５Ｓが挿入される。図６（ａ）は閉状態、（ｂ）は開状態を示し、光源ユニット４１を開閉した際のヒンジ部４２における詳細断面図である。軸受け部４１Ｈの穴径は、軸４５Ｓより長さ・幅に余裕（図中Ｓ１及びＳ２）を持たせている。そのため光源ユニット４１はフィルムガイド４５に対して開いた状態、閉じた状態いずれの状態でも、上下に移動可能である。
【００２１】
図５は光源ユニット４１を開閉した際のヒンジ部４２における詳細断面図である。図５に示すように、光源ユニット４１が略０°から略９０°まで開かれるとき、光源ユニット４１のストッパ用段差４２ｂはフィルムガイド４５のストッパ用段差４２ａを乗り越える。このとき光源ユニット４１の重心は軸４５Ｓよりも後方に有り、光源ユニット４１がフィルムガイド４５の開放姿勢保持部４２Ｃに当接して自立する。光源ユニット４１を軽い力で手前に傾けても、光源ユニット４１のストッパ用段差４２ｂとフィルムガイド４５のストッパ用段差４２ａが係合し抵抗となって手前には倒れず、光源ユニットの４１の自重により自立する位置に戻る。この係合面は光源ユニット４１の自重がかかっても乗り越えず、これより大きな力を加えた際に乗り越える程度の斜面になっている。これは、係合部を乗り越えるように、光源ユニットを鉛直方向に少し持ち上げれば簡単に乗り越えさせることができる。また、図２に示すように光源ユニット４１からはケーブル４９が装置本体１に接続されているが、光源ユニット４１を開いた際には屈曲させられたケーブル４９の復元力がこれを閉じようとする方向に働く。ストッパ部の係止力はケーブルの復元力よりも大きいため、これ以上光源ユニットが閉じるのを防ぐ。
【００２２】
使用者が閉める方向に一定以上の力を加えると、光源ユニット４１は上下移動可能な分持ち上がって、ストッパ用段差４２ｂが係合面であるフィルムガイド４５のストッパ用段差４２ａを乗り越えるため、光源ユニット４１を閉じることができる。
【図面の簡単な説明】
【００２３】
【図１】本発明実施例の画像読取装置の、原稿カバーを開いた斜視図。
【図２】本発明実施例の画像読取装置のＦＡＵを設置した斜視図（ａ）と側面図（ｂ）。
【図３】本発明実施例のＦＡＵの、光源ユニットを略９０度開いた斜視図（ａ）、閉じた断面図（ｂ）、とガイド部材詳細図（ｃ）。
【図４】本発明実施例の光源ユニット単体の、斜視図（ａ）、軸受け部の詳細斜視図（ｂ）。
【図５】本発明実施例の光源ユニット単体のヒンジ部における詳細断面図、光源ユニット開度略０度（ａ）、光源ユニット開度略４５度（ｂ）、光源ユニット開度略９０度（ｃ）。
【図６】本発明実施例の光源ユニット単体のヒンジ部における詳細断面図。
【符号の説明】
【００２４】
１  画像読取装置本体
２  原稿台ガラス
３  コンタクトイメージセンサ
６  原稿カバー
７  ヒンジ
４０  ＦＡＵ
４１  光源ユニット
４２  ヒンジ部
４５  フィルムガイド
【図１】
2008032985.tif 000003
【図２】
2008032985.tif 000004
【図３】
2008032985.tif 000005
【図４】
2008032985.tif 000006
【図５】
2008032985.tif 000007
【図６】
2008032985.tif 000008